(57)【要約】【課題】回路基板の着脱作業が容易で回路基板及回路基板間の信号の伝送異常を低減することができるＸ線ＣＴ装置を提供する。【解決手段】被検体ＰへのＸ線の照射により、被検体Ｐを透過したＸ線を検出するＸ線検出部１４と、Ｘ線検出部１４からの信号を収集するためのＸ線検出部１４に接続されたＸ線検出部１４からの信号を処理する回路を有するドータボード１５１及びドータボードの近傍に配置されたバックプレーンボード１５２を有するデータ収集部１５とを備え、ドータボード１５１における各第１乃至第Ｎのドータボード１５１１乃至１５１Ｎの非接触伝送手段の送信手段である各データ送信部１５１ｃ１乃至１５１ｃＮからの信号を、このデータ送信部の近傍に配置されたバックプレーンボード１５２における前記非接触伝送手段の受信手段である各データ受信部１５２ａ１乃至１５２ａＮで受信する。【選択図】図５
2010068979.tif 000002
【特許請求の範囲】
【請求項１】
被検体へのＸ線の照射により、前記被検体を透過したＸ線を検出するＸ線検出手段からの信号を収集するデータ収集手段を備えたＸ線ＣＴ装置において、
前記データ収集手段は、
前記Ｘ線検出手段に接続され、前記Ｘ線検出手段からの信号を処理する回路を有するドータボードと、
前記ドータボードの近傍に配置されたバックプレーンボードと、
前記ドータボードで処理された信号を前記バックプレーンボードに非接触的に伝送可能な非接触データ伝送手段とを
備えたことを特徴とするＸ線ＣＴ装置。
【請求項２】
前記ドータボードには、前記Ｘ線検出手段からの信号であるアナログ信号をデジタル信号に変換する処理を行う回路が含まれていることを特徴とする請求項１に記載のＸ線ＣＴ装置。
【請求項３】
前記ドータボードは、前記Ｘ線検出手段のＸ線を検出する側とは反対側に配置され、前記Ｘ線検出手段に接続するための一縁辺に配置されたコネクタ及び他縁辺に配置された前記非接触データ伝送手段の送信手段又は受信手段を有する少なくとも第１及び第２のドータボードにより構成され、
前記バックプレーンボードは、前記第１のドータボードの送信手段又は受信手段の一方の手段に対応するこの一方の手段の近傍に配置された他方の手段、及び前記第２のドータボードの送信手段又は受信手段の一方の手段に対応するこの一方の手段の近傍に配置された他方の手段を有することを特徴とする請求項１に記載のＸ線ＣＴ装置。
【請求項４】
前記非接触データ伝送手段は、前記Ｘ線検出手段を制御する制御信号を、前記バックプレーンボードから前記ドータボードに伝送するようにしたことを特徴とする請求項３に記載のＸ線ＣＴ装置。
【請求項５】
前記非接触データ伝送手段は、前記ドータボードからの信号を、光を利用して前記バックプレーンボードに送信することを特徴とする請求項１に記載のＸ線ＣＴ装置。
【請求項６】
前記非接触データ伝送手段は、前記ドータボードからの信号を、電磁誘導を利用して前記バックプレーンボードに送信することを特徴とする請求項１に記載のＸ線ＣＴ装置。
【請求項７】
前記非接触データ伝送手段は、前記ドータボードからの信号を、静電誘導を利用して前記バックプレーンボードに伝送することを特徴とする請求項１に記載のＸ線ＣＴ装置。
【請求項８】
前記データ収集手段は、前記ドータボードの回路を駆動する電力を前記バックプレーンボードから前記ドータボードに非接触的に供給する非接触電力供給手段を備えたことを特徴とする請求項１に記載のＸ線ＣＴ装置。
【請求項９】
前記ドータボードは、前記Ｘ線検出手段のＸ線を検出する側とは反対側に配置され、前記Ｘ線検出手段に接続するための一縁辺に配置されたコネクタ及び前他縁辺に配置された前記非接触電力伝送手段の受信手段を有する少なくとも第１及び第２のドータボードにより構成され、
前記バックプレーンボードは、前記第１のドータボードの受信手段に対応するこの受信手段の近傍に配置された前記非接触電力伝送手段の送信手段、及び前記第２のドータボードの受信手段に対応するこの受信手段の近傍に配置された前記非接触電力伝送手段の送信手段を有することを特徴とする請求項８に記載のＸ線ＣＴ装置。
【請求項１０】
前記非接触電力供給手段は、前記バックプレーンボードからの電力を、電磁誘導を利用して前記ドータボードの回路に供給することを特徴とする請求項８に記載のＸ線ＣＴ装置。
【請求項１１】
前記非接触電力供給手段は、前記バックプレーンからの電力を、静電誘導を利用して前記ドータボードの回路に供給することを特徴とする請求項８に記載のＸ線ＣＴ装置。
【発明の詳細な説明】
【技術分野】
【０００１】
本発明は、Ｘ線検出部からの信号を収集するデータ収集部を備えたＸ線ＣＴ装置に関する。
【背景技術】
【０００２】
Ｘ線ＣＴ装置は、体軸を中心として被検体の周囲を回転してＸ線撮影を行う回転部を有する架台部と、架台部から出力された１スキャン分のＸ線投影データを再構成して画像データを生成する画像データ生成部とを備えている。架台部の回転部は、回転しながら被検体にＸ線を照射するＸ線発生部、被検体を透過したＸ線を検出するＸ線検出部、Ｘ線検出部から出力される信号を収集してＸ線投影データを生成するデータ収集部等により構成される。そして、Ｘ線検出部に、体軸の方向であるスライス方向に直交するチャンネル方向に円弧上に複数の検出器モジュールが配置された装置が知られている（例えば、特許文献１参照。）。
【０００３】
この装置によれば、スライス方向及びチャンネル方向に配列されたＸ線を検出して電気信号に変換する二次元の検出素子を有する検出器モジュールを用いて、複数の断面のデータを収集することができる。
【０００４】
ところで、データ収集部には、Ｘ線検出部の各検出器モジュールに一縁辺で接続された回路基板であるドータボード、このドータボードの他縁辺で接続された回路基板であるバックプレーンボード等を備えている。そして、ドータボードは、ＦＰＣ（Ｆｌｅｘｉｂｌｅ  Ｐｒｉｎｔｅｄ  Ｃｉｒｃｕｉｔ）を介して検出器モジュールのＸ線を検出する表面とは反対側の裏面で接続されている。また、検出器モジュールの裏面に対して垂直に配置されたバックプレーンボードの表面に設けられたコネクタを介して接続されている。
【特許文献１】特開２００５−３４９１８７号公報
【発明の開示】
【発明が解決しようとする課題】
【０００５】
しかしながら、製造時やメンテナンス時に検出器モジュール及びバックプレーンボードに複数のドータボードを着脱するとき、検出器モジュール及びバックプレーンボードに対して異なる２方向から接続されているので、着脱する方向が制限され着脱作業が複雑になるため作業に負担が掛かかる問題がある。また、振動などによりコネクタの部分で接触不良がおきて画像データにアーチファクトが生じたり、収集するデータが不足して画像データを再構成できない問題を発生することがある。
【０００６】
本発明は、上記問題点を解決するためになされたもので、回路基板の着脱作業が容易で回路基板間の信号の伝送異常を低減することができるＸ線ＣＴ装置を提供することを目的とする。
【課題を解決するための手段】
【０００７】
上記問題を解決するために、本発明のＸ線ＣＴ装置は、被検体へのＸ線の照射により、前記被検体を透過したＸ線を検出するＸ線検出手段からの信号を収集するデータ収集手段を備えたＸ線ＣＴ装置において、前記データ収集手段は、前記Ｘ線検出手段に接続され、前記Ｘ線検出手段からの信号を処理する回路を有するドータボードと、前記ドータボードの近傍に配置されたバックプレーンボードと、前記ドータボードで処理された信号を前記バックプレーンボードに非接触的に伝送可能な非接触データ伝送手段とを備えたことを特徴とする。
【発明の効果】
【０００８】
本発明によれば、データ収集部における回路基板間の信号を非接触的に伝送することにより、回路基板の着脱における作業の効率が向上すると共に回路基板間の信号の接触不良を低減することができる。
【発明を実施するための最良の形態】
【０００９】
以下、本発明の実施例を、図面を参照して説明する。
【実施例】
【００１０】
図１は、本発明の実施例に係るＸ線ＣＴ装置の構成を示したブロック図である。このＸ線ＣＴ装置１００は、被検体Ｐが載置される天板８と、この天板８上に載置された被検体ＰにＸ線を照射してＸ線投影データを生成する架台部１と、この架台部１に必要な電力を供給する高電圧部２と、天板８を移動する機構部３と、架台部１で生成されたＸ線投影データを再構成して二次元や三次元の画像データを生成する画像処理部４と、画像処理部４で生成された画像データを表示する表示部５と、被検体Ｐの検査を行うための架台部１で行われるＸ線照射の条件や被検体Ｐの被検体情報を含む検査情報の入力操作等を行なう操作部６と、架台部１、高電圧部２、機構部３、画像処理部４、及び表示部５を統括して制御するシステム制御部７とを備えている。
【００１１】
架台部１は、天板８上の被検体Ｐが挿入されるほぼ円筒状の開口部１０と、この開口部１０の外周に配置され、被検体Ｐの体軸をほぼ回転軸として矢印Ｒ１方向に回転可能な回転部１１と、この回転部１１を回転可能に支持する架台本体１２とを備えている。
【００１２】
回転部１１は、開口部１０に移動された被検体ＰにＸ線を照射するＸ線発生部１３と、Ｘ線発生部１３に対向して配置され、被検体Ｐを透過したＸ線を検出するＸ線検出部１４と、Ｘ線検出部１４からの検出信号を収集してＸ線投影データを生成するデータ収集部１５と、データ収集部１５で生成されたＸ線投影データを画像処理部４に出力するためのデータ伝送部１６の送信部と、高電圧部２からの電力をＸ線発生部１３に供給するスリップリング１７と、Ｘ線発生部１３、Ｘ線検出部１４、データ収集部１５、データ伝送部１６の送信部、及びスリップリング１７を矢印Ｒ１方向に回転可能に保持する回転フレーム１８とを備えている。
【００１３】
Ｘ線発生部１３は、Ｘ線を発生するＸ線管、及びこのＸ線管からのＸ線ビームの照射範囲を設定するスリットを備えている。そして、回転フレーム１８の回転中心に体軸がほぼ一致するように開口部１０内に移動された被検体Ｐの周囲を回転しながら、ファン角θの扇形に設定されたＸ線を照射する。
【００１４】
Ｘ線検出部１４は、Ｘ線発生部１３からのＸ線照射により、被検体Ｐを透過したＸ線を検出して電気信号に変換する。そして、変換した信号を増幅してデータ収集部１５に出力する。
【００１５】
データ収集部１５は、Ｘ線検出部１４から出力された信号を処理するアナログ／デジタル変換回路（ＡＤＣ）等の回路を備え、Ｘ線検出部１４から出力されたアナログ信号をデジタル信号に変換する。そして、その変換したデジタル信号を、回転フレーム１８の所定の撮影角度回転毎に収集して１ビューのＸ線投影データを生成する。
【００１６】
データ伝送部１６は、例えば光を利用して送受信するための送信部及び受信部を有し、送信部が回転部１１に設けられており、データ収集部１５からのＸ線投影データを送信部から架台本体１２に設けられた受信部に伝送する。なお、回転部１１と架台本体１２の間のデータ伝送を、スリップリング１７を介して行うようにしてもよい。
【００１７】
回転フレーム１８には、Ｘ線発生部１３、Ｘ線検出部１４、データ収集部１５、データ伝送部１６の送信部、及びスリップリング１７が取り付けられ、回転可能に架台本体１２に保持されている。
【００１８】
高電圧部２は、架台部１における回転部１１のＸ線発生部１３に供給する高電圧の発生する電力を発生する高電圧発生部２１と、架台部１における回転部１１のＸ線発生部１３の管電流、管電圧等を設定するために高電圧発生部２１を制御するＸ線制御部２２とを備えている。また、高電圧発生部２１は、Ｘ線検出部１４及びデータ収集部１５に電力を供給する。
【００１９】
機構部３は、天板８を移動する天板移動機構３１と、架台部１における回転部１１の回転フレーム１８を回転する回転機構３２と、天板移動機構３１及び回転機構３２を制御する機構制御部３３とを備えている。
【００２０】
画像処理部４は、架台部１における回転部１１のデータ伝送部１６から出力されたＸ線投影データを保存する記憶部４１と、記憶部４１に保存されたＸ線投影データを再構成して画像データを生成する画像データ生成部４２とを備えている。
【００２１】
画像データ生成部４２は、架台部１の回転部１１における回転フレーム１８の例えば１８０°にファン角θを加えた３６０°未満の角度、又は３６０°等の所定の角度を回転する間の撮影を１スキャンとし、１スキャンの間の撮影角度毎に生成された複数ビューのＸ線投影データを再構成して二次元画像データや三次元画像データの画像データを生成する。従って、例えば３６０°を１スキャンとすると、０．４°毎に生成された９００ビューのＸ線投影データを再構成して画像データを生成する。
【００２２】
表示部５は、液晶パネルやＣＲＴなどのモニタを備え、画像処理部４の画像データ生成部４２から出力された画像データを表示する。
【００２３】
操作部６は、キーボード、トラックボール、ジョイスティック、マウスなどの入力デバイスや表示パネル、更には各種スイッチなどを備えたインターラクティブなインターフェースであり、被検体Ｐの被検体情報、Ｘ線照射条件などの入力操作を行う。
【００２４】
システム制御部７は、ＣＰＵと記憶回路を備え、操作部６からの入力操作により供給される入力情報を一旦記憶した後、これらの入力情報に基づいてＸ線投影データの生成、画像データの生成及び表示、各機構に関する制御などシステム全体の制御を行う。
【００２５】
次に、図１乃至図３を参照して、架台部１の回転部１１におけるＸ線検出部１４の構成を説明する。図２は、Ｘ線検出部１４の構成を示す図である。図３は、Ｘ線検出部１４の配置を示す図である。
【００２６】
図２において、Ｘ線検出部１４は、被検体Ｐを透過したＸ線を検出して電気信号に変換する検出器モジュール１４１と、検出器モジュール１４１で変換された電気信号を時分割して取り出すためのスイッチ回路１４２と、このスイッチ回路１４２を制御するスイッチ制御回路１４３とを備えている。
【００２７】
検出器モジュール１４１は、複数（Ｎ）個の第１乃至第Ｎの検出器モジュール１４１１乃至１４１Ｎにより構成され、図３に示すように、Ｘ線発生部１３のＸ線管の焦点を中心としたファン角θを形成する円弧上の矢印で示したチャンネル方向Ｃに配置される。
【００２８】
第１の検出器モジュール１４１１は、Ｘ線を検出して光に変換するシンチレータ及びこのシンチレータからの光を検出して電気信号に変換するフォトダイオードから成る複数（Ｋ×Ｍ）個の検出素子１１４１乃至Ｋ１４Ｍを有する第１の検出器１４１ａ１と、第１の検出器１４１ａ１のＸ線を検出する表面とは反対側の裏面に配置されたコネクタ１４１ｂ１とを備えている。
【００２９】
そして、第１の検出器１４１ａ１のチャンネル方向Ｃに直交する矢印で示したスライス方向Ｓの１列目には、チャンネル方向ＣにＭ行の検出素子１１４１乃至１１４Ｍが配置され、２列目にはＭ行の検出素子２１４１乃至２１４Ｍが配置されている。また、Ｋ列目にはＭ行の検出素子Ｋ１４１乃至Ｋ１４Ｍが配置されている。
【００３０】
コネクタ１４１ｂ１は、第１の検出器１４１ａ１に接続され、第１の検出器１４１ａ１から出力された各検出素子１１４１乃至Ｋ１４Ｍの信号をデータ収集部１５に出力する。また、スイッチ制御回路１４３に接続され、第１の検出器１４１ａ１における各検出素子１１４１乃至Ｋ１４Ｍの信号を、コネクタ１４１ｂ１へ出力するタイミングを指示するデータ収集部１５からのＸ線検出部１４を制御する制御信号をスイッチ制御回路１４３に出力する。
【００３１】
各第２乃至第Ｎの検出器モジュール１４１２乃至１４１Ｎは、（Ｋ×Ｍ）個の検出素子１１４１乃至Ｋ１４Ｍを有する各第２乃至第Ｎの検出器１４１ａ２乃至１４１ａＮと、各第２乃至第Ｎの検出器１４１ａ２乃至１４１ａＮの裏面に配置された各コネクタ１４１ｂ２乃至１４１ｂＮとを備えている。そして、各第２乃至第Ｎの検出器１４１ａ２乃至１４１ａＮには、第１の検出器１４１ａ１と同様に、スライス方向ＳにＫ列に亘って、及びチャンネル方向ＣにＭ行に亘って検出素子１１４１乃至Ｋ１４Ｍが配置されている。
【００３２】
各コネクタ１４１ｂ２乃至１４１ｂＮは、各第２乃至第Ｎの検出器１４１ａ２乃至１４１ａＮに接続され、各第２乃至第Ｎの検出器１４１ａ２乃至１４１ａＮから出力された各検出素子１１４１乃至Ｋ１４Ｍの信号をデータ収集部１５に出力する。また、スイッチ制御回路１４３に接続され、各第２乃至第Ｎの検出器１４１ａ２乃至１４１ａＮにおける各検出素子１１４１乃至Ｋ１４Ｍの信号を、各コネクタ１４１ｂ２乃至１４１ｂＮへ出力するタイミングを指示するデータ収集部１５からのＸ線検出部１４の制御信号をスイッチ制御回路１４３に出力する。
【００３３】
スイッチ回路１４２は、各第１乃至第Ｎの検出器モジュール１４１１乃至１４１Ｎにおける各第１乃至第Ｎの検出器１４１ａ１乃至１４１ａＮの各検出素子１１４１乃至Ｋ１４Ｍのフォトダイオードの出力側に設けられている。そして、各第１乃至第Ｎの検出器１４１ａ１乃至１４１ａＮの各検出素子１１４１乃至Ｋ１４Ｍからの信号を時分割して、各コネクタ１４１ｂ１乃至１４１ｂＮに出力させる。
【００３４】
スイッチ制御回路１４３は、各コネクタ１４１ｂ１乃至１４１ｂＮを介してデータ収集部１５から出力されるＸ線検出部１４の制御信号に基づいて、スイッチ回路１４２を制御する。
【００３５】
次に、図１乃至図５を参照して、架台部１の回転部１１におけるデータ収集部１５の構成を説明する。図４は、データ収集部１５の構成を示す図である。図５は、Ｘ線検出部１４に対するデータ収集部１５の構成ユニットの配置を示す図である。
【００３６】
図４において、データ収集部１５は、Ｘ線検出部１４に接続された回路基板であるドータボード１５１、このドータボード１５１の近傍に配置された回路基板であるバックプレーンボード１５２、及びこのバックプレーンボード１５２に接続された回路基板であるメインボード１５３により構成される。
【００３７】
ドータボード１５１は、Ｘ線検出部１４の検出器モジュール１４１からの信号を処理するために設けられ、Ｘ線検出部１４における検出器モジュール１４１の各第１乃至第Ｎの検出器モジュール１４１１乃至１４１Ｎに接続された各第１乃至第Ｎのドータボード１５１１乃至１５１Ｎにより構成される。
【００３８】
第１のドータボード１５１１は、第１の検出器モジュール１４１１のコネクタ１４１ｂ１に係合するコネクタ１５１ａ１、このコネクタ１５１ａ１から出力された第１の検出器モジュール１４１１からの信号を処理するアナログ／デジタル変換回路（ＡＤＣ）１５１ｂ１等の回路、及びＡＤＣ１５１ｂ１等により処理された信号をバックプレーンボード１５２に非接触的に送信可能な非接触データ伝送手段の送信手段であるデータ送信部１５１ｃ１を備えている。
【００３９】
また、バックプレーンボード１５２からのＸ線検出部１４の制御信号を非接触的に受信可能な非接触データ伝送手段の受信手段であるデータ受信部１５１ｄ１、及びバックプレーンボード１５２からの第１のドータボード１５１１内の各回路を駆動する電力を非接触的に受信可能な非接触電力伝送手段の受信手段である電力受信部１５１ｅ１を備えている。
【００４０】
コネクタ１５１ａ１は、第１の検出器モジュール１４１１の第１の検出器１４１ａ１からの微小なアナログ信号の伝送が可能なように設けられた第１の検出器モジュール１４１１のコネクタ１４１ｂ１の端子に嵌合する端子を有し、この両端子を介して受信した信号を第１のドータボード１５１１内に配置された図示しない信号線や回路を経由してＡＤＣ１５１ｂ１に出力する。
【００４１】
ＡＤＣ１５１ｂ１は、入力したアナログ信号をデジタル信号に変換した後、第１のドータボード１５１１内の図示しない信号線や回路を経由してデータ送信部１５１ｃ１に出力する。
【００４２】
データ送信部１５１ｃ１は、ＡＤＣ１５１ｂ１からの信号を例えば光を利用してバックプレーンボード１５２に送信する。この場合、ＡＤＣ１５１ｂ１からの信号をこの信号に対応する例えば光信号に変換するための信号処理回路及びこの信号処理回路により光を発する発光素子を有する。
【００４３】
データ受信部１５１ｄ１は、バックプレーンボード１５２からのＸ線検出部１４の制御信号を、光を利用して受信する。この場合、バックプレーンボード１５２からのＸ線検出部１４の制御信号に対応する光信号を受光して電気信号に変換する受光素子、及びこの受光素子からの電気信号を制御信号に変換する信号処理回路を有する。
【００４４】
電力受信部１５１ｅ１は、バックプレーンボード１５２からの第１のドータボード１５１１の各回路を駆動するための電力を、例えば電磁誘導を利用して受信する。この場合、バックプレーンボード１５２の誘導により磁場を生成する二次コイル、及びこの磁場の生成により二次コイルに流れる電流から第１のドータボード１５１１の各回路を駆動するための電力を発生する信号処理回路を有する。
【００４５】
各第２乃至第Ｎのドータボード１５１２乃至１５１Ｎは、各第２乃至第Ｎの検出器モジュール１４１２乃至１４１Ｎの各コネクタ１４１ｂ２乃至１４１ｂＮに係合する各コネクタ１５１ａ２乃至１５１ａＮ、各コネクタ１５１ａ２乃至１５１ａＮから出力された各第２乃至第Ｎの検出器モジュール１４１２乃至１４１Ｎからの信号を処理する各ＡＤＣ１５１ｂ２乃至１５１ｂＮ、及び各ＡＤＣ１５１ｂ２乃至１５１ｂＮにより処理された信号をバックプレーンボード１５２に非接触的に送信可能な非接触データ伝送手段の送信手段である各データ送信部１５１ｃ２乃至１５１ｃＮを備えている。
【００４６】
また、バックプレーンボード１５２からのＸ線検出部１４の制御信号を非接触的に受信可能な非接触データ伝送手段の受信手段である各データ受信部１５１ｄ２乃至１５１ｄＮ、及びバックプレーンボード１５２からの各第２乃至第Ｎのドータボード１５１２乃至１５１Ｎ内の各回路を駆動する電力を非接触的に受信可能な非接触電力伝送手段の受信手段である各電力受信部１５１ｅ２乃至１５１ｅＮ等を備えている。
【００４７】
バックプレーンボード１５２は、ドータボード１５１の各第１乃至第Ｎのドータボード１５１１乃至１５１Ｎに対応する各第１乃至第Ｎの送受信部１５２１乃至１５２Ｎと、各第１乃至第Ｎの送受信部１５２１乃至１５２Ｎから出力された信号をメインボード１５３に出力すると共に、メインボード１５３からのＸ線検出部１４の制御信号を受信するコネクタ１５２ｄとにより構成される。
【００４８】
また、メインボード１５３からの各第１乃至第Ｎの送受信部１５２１乃至１５２Ｎ及び各第１乃至第Ｎのドータボード１５１１乃至１５１Ｎを駆動するための電力を、第１乃至第Ｎの送受信部１５２１乃至１５２Ｎに供給するコネクタ１５２ｅとにより構成される。そして、各第１乃至第Ｎの送受信部１５２１乃至１５２Ｎは、バックプレーンボード１５２の表面側に配置される。
【００４９】
第１の送受信部１５２１は、第１のドータボード１５１１のデータ送信部１５１ｃ１からの信号を非接触的に受信可能な非接触データ伝送手段の受信手段であるデータ受信部１５２ａ１と、コネクタ１５２ｄから出力されたＸ線検出部１４の制御信号を第１のドータボード１５１１のデータ受信部１５１ｄ１に非接触的に送信可能な非接触データ伝送手段の送信手段であるデータ送信部１５２ｂ１と、コネクタ１５２ｅから出力された電力を第１のドータボード１５１１の電力受信部１５１ｅ１に非接触的に送信可能な非接触電力伝送手段の送信手段である電力送信部１５２ｃ１とを備えている。
【００５０】
データ受信部１５２ａ１は、第１のドータボード１５１１のデータ送信部１５１ｃ１から送信された光信号を受光して電気信号に変換する受光素子、及びこの受光素子で変換された電気信号を例えば第１のドータボード１５１１のＡＤＣ１５１ｂ１で変換された信号に変換する信号処理回路を備え、この信号処理回路で変換された信号をコネクタ１５２ｄに出力する。
【００５１】
なお、データ送信部１５１ｃ１では、電磁誘導を利用してＡＤＣ１５１ｂ１からの信号を、データ受信部１５２ａ１に送信するように実施してもよい。この場合、データ送信部１５１ｃ１には、ＡＤＣ１５１ｂ１からの信号をこの信号に対応する磁場を生成させるための電気信号に変換する信号処理回路、及びこの信号処理回路により磁場を生成する一次コイルを設け、データ受信部１５２ａ１には二次コイル及びこの二次コイルに誘導された一次コイルからの電気信号を、例えばＡＤＣ１５１ｂ１で変換された信号に変換する信号処理回路を設ける。
【００５２】
また、データ送信部１５１ｃ１では、静電誘導を利用してＡＤＣ１５１ｂ１からの信号を、データ受信部１５２ａ１に送信するように実施してもよい。この場合、データ送信部１５１ｃ１には、ＡＤＣ１５１ｂ１からの信号をこの信号に対応する電荷を帯電させるための電気信号に変換する信号処理回路、及びこの信号処理回路により電荷を帯電する第１の端子を設け、データ受信部１５２ａ１には第２の端子及びこの第２の端子に誘導された第１の端子に対応する電荷を、例えばＡＤＣ１５１ｂ１で変換された信号に変換する信号処理回路を設ける。
【００５３】
このように、非接触データ伝送手段の受信手段であるデータ受信部１５２ａ１がその非接触データ伝送手段の送信手段であるデータ送信部１５１ｃ１の近傍に配置されるので、振動や接続部の劣化による信号の伝送異常を回避することができる。
【００５４】
データ送信部１５２ｂ１は、コネクタ１５２ｄからのＸ線検出部１４の制御信号をこの信号に対応する光信号に変換するための信号処理回路及びこの信号処理回路により光を発する発光素子を備え、入力した信号を光信号に変換して第１のドータボード１５１１のデータ受信部１５１ｄ１に送信する。なお、データ受信部１５１ｄ１及びデータ送信部１５２ｂ１の間を、電磁誘導又は静電誘導を利用して信号を伝送するように実施してもよい。
【００５５】
このように、非接触データ伝送手段の送信手段であるデータ送信部１５２ｂ１がその非接触データ伝送手段の受信手段であるデータ受信部１５１ｄ１の近傍に配置されるので、振動や接続部の劣化による信号の伝送異常を回避することができる。
【００５６】
電力送信部１５２ｃ１は、第１のドータボード１５１１の電力受信部１５１ｅ１の二次コイルに対向して配置された磁場を生成する一次コイル、及びこの一次コイルにコネクタ１５２ｅからの電力をこの電力に対応する磁場を生成させるための信号処理回路を備え、前記一次コイルに生成された磁場より電力受信部１５１ｅ１の二次コイルに電流を誘導する。なお、電力送信部１５２ｃ１及び電力受信部１５１ｅ１の間を、静電誘導を利用して電力を伝送するように実施してもよい。
【００５７】
このように、非接触電力伝送手段の送信手段である電力送信部１５２ｃ１がその非接触電力伝送手段の受信手段である電力受信部１５１ｅ１の近傍に配置されるので、振動や接続部の劣化による電力の伝送異常を回避することができる。
【００５８】
各第２乃至第Ｎの送受信部１５２２乃至１５２Ｎは、各第２乃至第Ｎのドータボード１５１２乃至１５１Ｎの各データ送信部１５１ｃ２乃至１５１ｃＮからの信号を非接触的に受信可能な非接触データ伝送手段の受信手段である各データ受信部１５２ａ２乃至１５２ａＮと、コネクタ１５２ｄから出力されるＸ線検出部１４の制御信号を各第２乃至第Ｎのドータボード１５１２乃至１５１Ｎの各データ受信部１５１ｄ２乃至１５１ｄＮに非接触的に送信可能な非接触データ伝送手段の送信手段である各データ送信部１５２ｂ２乃至１５２ｂＮと、コネクタ１５２ｅから出力される電力を各第２乃至第Ｎのドータボード１５１２乃至１５１Ｎの各電力受信部１５１ｅ２乃至１５１ｅＮに非接触的に送信可能な非接触電力伝送手段の送信手段である各電力送信部１５２ｃ２乃至１５２ｃＮとを備えている。
【００５９】
このように、非接触データ伝送手段の受信手段である各データ受信部１５２ａ２乃至１５２ａＮがその非接触データ伝送手段の送信手段である各データ送信部１５１ｃ２乃至１５１ｃＮの近傍に配置されるので、バックプレーンボード１５２とドータボード１５１間の振動や接続部の劣化による信号の伝送異常を回避することができる。これにより、信頼性の高いＸ線投影データの生成が可能となり、画像データにアーチファクトが生じるのを防ぎ、高品質の画像データを再構成することができる。
【００６０】
また、非接触データ伝送手段の送信手段である各データ送信部１５２ｂ２乃至１５２ｂＮがその非接触データ伝送手段の受信手段である各データ受信部１５１ｄ２乃至１５１ｄＮの近傍に配置されるので、バックプレーンボード１５２とドータボード１５１間の振動や接続部の劣化による信号の伝送異常を回避することができる。これにより、Ｘ線検出部１４を正常に作動させることが可能となり、高品質の画像データを再構成することができる。
【００６１】
更に、非接触電力伝送手段の送信手段である各電力送信部１５２ｃ２乃至１５２ｃＮがその非接触電力伝送手段の受信手段である各電力受信部１５１ｅ２乃至１５１ｅＮの近傍に配置されるので、バックプレーンボード１５２とドータボード１５１間の振動や接続部の劣化による電力の伝送異常を回避することができる。これにより、ドータボード１５１の回路を正常に作動させることが可能となり、高品質の画像データを再構成することができる。
【００６２】
メインボード１５３は、Ｘ線検出部１４の第１乃至第Ｎの検出器１４１１乃至１４１Ｎにおけるスライス方向Ｓの予め設定された１列又は複数の列おけるチャンネル方向Ｃの各検出素子の信号がドータボード１５１で処理された後、バックプレーンボード１５２のコネクタ１５２ｄから出力された信号を収集してＸ線投影データを生成する。そして、生成したＸ線投影データをデータ伝送部１６に出力する。
【００６３】
また、システム制御部７からデータ伝送部１６を介して出力されるＸ線検出部１４の制御信号をバックプレーンボード１５２のコネクタ１５２ｄに出力する。更に、高電圧部２から供給される電力をバックプレーンボード１５２のコネクタ１５２ｅに出力する。
【００６４】
図５は、Ｘ線検出部１４の検出器モジュール１４１に対するドータボード１５１及びバックプレーンボード１５２の配置を示した図である。検出器モジュール１４１の第１の検出器モジュール１４１１に対するドータボード１５１の第１のドータボード１５１１及びこの第１のドータボード１５１１に対応するバックプレーンボード１５２の第１の送受信部１５２１の例を説明する。
【００６５】
なお、検出器モジュール１４１の各第２乃至第Ｎの検出器モジュール１４１２乃至１４１Ｎに対するドータボード１５１の各第２乃至第Ｎのドータボード１５１２乃至１５１Ｎ及び各第２乃至第Ｎのドータボード１５１２乃至１５１Ｎに対応するバックプレーンボード１５２の各第２乃至第Ｎの送受信部１５２２乃至１５２Ｎも、第１の検出器モジュール１４１１に対する第１のドータボード１５１１及び第１の送受信部１５２１と同様に配置されるので、その説明を省略する。
【００６６】
バックプレーンボード１５２は、Ｘ線検出部１４の検出器モジュール１４１の裏側の検出器モジュール１４１のスライス方向Ｓにおける一縁辺に沿って近傍に、その裏面に対してほぼ垂直に配置されている。また、表面を検出器モジュール１４１の側に向けて配置されている。更に、バックプレーンボード１５２の第１の送受信部１５２１は、第１の検出器モジュール１４１１のコネクタ１４１ｂ１に対応して配置されている。
【００６７】
第１のドータボード１５１１は例えば四角形の形状を成し、一縁辺にコネクタ１５１ａ１が配置されている。また、一縁辺に連なる他縁辺にデータ送信部１５１ｃ１、データ受信部１５１ｄ１、及び電力受信部１５１ｅ１が配置されている。
【００６８】
次に、製造時やメンテナンス時等における第１のドータボード１５１１を着脱する作業について説明する。
【００６９】
第１のドータボード１５１１を第１の検出器モジュール１４１１及びバックプレーンボード１５２に取り付ける場合、コネクタ１５１ａ１を第１の検出器モジュール１４１１の裏面の方向に向けた第１のドータボード１５１１を第１の検出器モジュール１４１１の方向であるＬ１方向に移動する。次いで、コネクタ１５１ａ１が第１の検出器モジュール１４１１のコネクタ１４１ｂ１に係合する位置まで移動した後、更にＬ１方向に押し付けることにより、第１のドータボード１５１１は、第１の検出器モジュール１４１１に接続される。
【００７０】
このとき、第１のドータボード１５１１は、第１の検出器モジュール１４１１の裏面に対して垂直に配置される。また、バックプレーンボード１５２に対して垂直に配置される。そして、第１のドータボード１５１１のデータ送信部１５１ｃ１は、非接触的に送信可能な第１の送受信部１５２１のデータ受信部１５２ａ１の近傍に配置される。また、データ受信部１５１ｄ１は、非接触的に受信可能な第１の送受信部１５２１のデータ送信部１５２ｂ１の近傍に配置される。更に、電力受信部１５１ｅ１は、非接触的に受信可能な第１の送受信部１５２１の電力送信部１５２ｃ１の近傍に配置される。
【００７１】
また、第１のドータボード１５１１は、Ｌ１方向とは反対方向に第１のドータボード１５１１を移動することにより、第１の検出器モジュール１４１１及びバックプレーンボード１５２から取り外される。
【００７２】
このように、Ｌ１方向の一方向に移動するだけの簡単な作業により、第１のドータボード１５１１を第１の検出器モジュール１４１１及びバックプレーンボード１５２に取り付けることができる。また、Ｌ１方向とは反対の方向に移動するだけの簡単な作業により、第１のドータボード１５１１を第１の検出器モジュール１４１１及びバックプレーンボード１５２から取り外すことができる。これにより、第１のドータボード１５１１の着脱における作業の負担を軽減し、作業の効率化を図ることができる。
【００７３】
以上述べた本発明の実施例によれば、一方向に移動する簡単な作業により、各第１乃至第Ｎのドータボード１５１１乃至１５１ＮをＸ線検出部１４及びバックプレーンボード１５２に着脱することができる。これにより、ドータボード１５１の着脱における作業の負担を軽減し、作業の効率化を図ることができる。
【００７４】
また、各第１乃至第Ｎのドータボード１５１１乃至１５１Ｎにおける非接触伝送手段の送信手段である各データ送信部１５１ｃ１乃至１５１ｃＮからの信号を、このデータ送信部の近傍に配置されたバックプレーンボード１５２における前記非接触伝送手段の受信手段である各データ受信部１５２ａ１乃至１５２ａＮで受信することにより、Ｘ線検出部１４から出力された信号の振動や接続部分の劣化による信号の伝送異常を低減することができる。これにより、信頼性の高いＸ線投影データの生成が可能となり、画像データにアーチファクトが生じるのを低減し、高品質の画像データを再構成することができる。
【００７５】
更に、バックプレーンボード１５２における非接触伝送手段の送信手段である各データ送信部１５２ｂ１乃至１５２ｂＮからのＸ線検出部１４の制御信号を、このデータ送信部の近傍に配置された各第１乃至第Ｎのドータボード１５１１乃至１５１Ｎにおける前記非接触データ伝送手段の受信手段である各データ受信部１５１ｄ１乃至１５１ｄＮで受信することにより、バックプレーンボード１５２から出力された制御信号の振動や接続部分の劣化による信号の伝送異常を低減することができる。これにより、信頼性の高いＸ線検出部１４の制御が可能となり、画像データにアーチファクトが生じるのを低減し、高品質の画像データを再構成することができる。
【００７６】
更にまた、バックプレーンボード１５２における非接触電力伝送手段の送信手段である各電力送信部１５２ｃ１乃至１５２ｃＮからの各第１乃至第Ｎのドータボード１５１１乃至１５１Ｎの回路を駆動する電力を、この電力送信部の近傍に配置された各第１乃至第Ｎのドータボード１５１１乃至１５１Ｎにおける前記非接触電力伝送手段の受信手段である各電力受信部１５１ｅ１乃至１５１ｅＮで受信することにより、バックプレーンボード１５２から出力された電力の振動や接続部分の劣化による電力の伝送異常を低減することができる。これにより、信頼性の高い各第１乃至第Ｎのドータボード１５１１乃至１５１Ｎの動作が可能となり、高品質の画像データを再構成することができる。
【図面の簡単な説明】
【００７７】
【図１】本発明の実施例に係るＸ線ＣＴ装置の構成を示すブロック図。
【図２】本発明の実施例に係るＸ線検出部の構成を示す図。
【図３】本発明の実施例に係るＸ線検出部の配置を示す図。
【図４】本発明の実施例に係るデータ収集部の構成を示す図。
【図５】本発明の実施例に係るＸ線検出部の検出器モジュールに対するドータボード及びバックプレーンボードの配置を示す図。
【符号の説明】
【００７８】
１４  Ｘ線検出部
１５  データ収集部
１４１  検出器モジュール
１４１ａ１  第１の検出器
１４１ｂ１  コネクタ
１５１  ドータボード
１５１ａ１  コネクタ
１５１ｃ１  データ送信部
１５１ｄ１  データ受信部
１５１ｅ１  電力受信部
１５２  バックプレーンボード
１５２ａ１  データ受信部
１５２ｂ１  データ送信部
１５２ｃ１  電力送信部
１４１１  第１の検出器モジュール
１５１１  第１のドータボード
１５２１  第１の送受信部
【図１】
2010068979.tif 000003
【図２】
2010068979.tif 000004
【図３】
2010068979.tif 000005
【図４】
2010068979.tif 000006
【図５】
2010068979.tif 000007